(57)【要約】【課題】この発明は、ネットワークによる通信機能を利用した各種のサービスに対して、その免責事項の承諾に関する諸情報を画面上に表示することができ、ユーザによる免責事項の承諾に関する事後追跡を可能にして実用に好適するようにした免責画面表示装置及び免責画面表示方法を提供することを目的としている。【解決手段】ネットワーク（２９）による通信機能を用いたサービスの利用が要求されたとき、当該要求されたサービスに対する免責事項を画面に表示する表示手段（１９）と、表示手段（１９）で表示された免責事項が承諾されたとき、当該免責事項の承諾に関する情報を記録する記録手段（２２，２２ｂ）とを備える。【選択図】    図１
2011172005.tif 000002
【特許請求の範囲】
【請求項１】
ネットワークによる通信機能を用いたサービスの利用が要求されたとき、当該要求されたサービスに対する免責事項を画面に表示する表示手段と、
前記表示手段で表示された免責事項が承諾されたとき、当該免責事項の承諾に関する情報を記録する記録手段とを具備することを特徴とする免責画面表示装置。
【請求項２】
前記記録手段は、前記免責事項の承諾に関する情報として免責事項が承諾された時点の時刻を記録することを特徴とする請求項１記載の免責画面表示装置。
【請求項３】
前記記録手段は、前記免責事項の承諾に関する情報として免責事項が承諾された時点の時刻を、前記ネットワークを介して取得した時刻情報を用いて記録することを特徴とする請求項１記載の免責画面表示装置。
【請求項４】
前記記録手段は、前記免責事項の承諾に関する情報として免責事項が承諾された時点の時刻を、受信した放送信号から取得した時刻情報に優先させて、前記ネットワークを介して取得した時刻情報を用いて記録することを特徴とする請求項１記載の免責画面表示装置。
【請求項５】
前記記録手段は、前記免責事項の承諾に関する情報として免責事項が承諾された時点の時刻を、前記ネットワークを介して取得した時刻情報と、受信した放送信号から取得した時刻情報と、自機器に内蔵されたタイマから取得した時刻情報とを用いてそれぞれ記録することを特徴とする請求項１記載の免責画面表示装置。
【請求項６】
前記記録手段は、前記免責事項の承諾に関する情報として免責事項が承諾された時点から現在までの経過時間と、免責事項が承諾された時点から現在までにおけるサービスの利用回数との少なくとも一方を記録することを特徴とする請求項１記載の免責画面表示装置。
【請求項７】
前記表示手段は、前記ネットワークからの時刻情報と受信した放送信号からの時刻情報とが共に取得されないとき、免責事項を画面に表示しないことを特徴とする請求項１記載の免責画面表示装置。
【請求項８】
前記記録手段に免責事項の承諾に関する情報が記録されたとき、当該記録情報を画面に表示する制御手段を備えることを特徴とする請求項１記載の免責画面表示装置。
【請求項９】
ネットワークによる通信機能を用いたサービスの利用が要求されたとき、当該要求されたサービスに対する免責事項を画面に表示する工程と、
表示された免責事項が承諾されたとき、当該免責事項の承諾に関する情報を記録する工程とを有することを特徴とする免責画面表示方法。
【発明の詳細な説明】
【技術分野】
【０００１】
この発明は、免責事項を画面に表示し、その画面上で免責事項に対する承諾を行なうことを可能とした免責画面表示装置及び免責画面表示方法の改良に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も実用化されている。
【０００３】
このため、このようなデジタルテレビジョン放送を受信するデジタルテレビジョン放送受信機器としては、現行の地上アナログ放送とともに、衛星デジタル放送や地上デジタル放送等を選択的に受信する機能が搭載されている。また、現在、この種のデジタルテレビジョン放送受信機器にあっては、ネットワーク接続機能も搭載されている。
【０００４】
このネットワーク接続機能を搭載することによって、デジタルテレビジョン放送受信機器は、ネットワーク上における種々のサービス供給サイト等にアクセスすることが可能となり、例えばサードパーティー等が提供する、ネットワークによる通信機能を用いた各種のサービスを利用することができるようになる。
【０００５】
ここで、この種のネットワークによる通信機能を用いた各種のサービスを利用するためには、ユーザが、そのサービスに対する免責事項（例えば、そのサービスの内容が突然断り無しに変更、停止、終了、削除される可能性があること等を予め示すことわり）を承諾する必要がある。
【０００６】
すなわち、ユーザが所望のサービスを要求すると、そのサービスを提供するサービス供給サイトから、当該サービスの利用に関する免責事項を表示するための情報が送信されて画面に表示される。そして、ユーザは、画面に表示されている免責事項を承諾する旨の操作を行なうことにより、そのサービスを利用することが可能となる。
【０００７】
ところで、上記した免責事項の承諾手段では、通常、各サービスに対して免責事項を承諾したか否かの情報が表示されないのが現状である。このため、例えば、ユーザは、所望のサービスを要求したとき、免責事項が表示されるか実際にサービスが実行されるかにより、そのサービスについて免責事項を承諾しているか否かを判断している。
【０００８】
特許文献１には、デジタル放送を受信可能なテレビ装置において、使用許諾用のＩＣカードがチューナ部に挿入された状態で電源がオンされると、受信契約書を読むことを促すメッセージが表示され、受信契約書に記載された解除方法に従ってスイッチ類を操作することにより、メッセージの表示を停止することが開示されている。
【先行技術文献】
【特許文献】
【０００９】
【特許文献１】特開２００８−１２４６８３号公報
【発明の概要】
【発明が解決しようとする課題】
【００１０】
そこで、この発明は上記事情を考慮してなされたもので、ネットワークによる通信機能を利用した各種のサービスに対して、その免責事項の承諾に関する諸情報を画面上に表示することができ、ユーザによる免責事項の承諾に関する事後追跡を可能にして実用に好適するようにした免責画面表示装置及び免責画面表示方法を提供することを目的とする。
【課題を解決するための手段】
【００１１】
この発明に係る免責画面表示装置は、ネットワークによる通信機能を用いたサービスの利用が要求されたとき、当該要求されたサービスに対する免責事項を画面に表示する表示手段と、表示手段で表示された免責事項が承諾されたとき、当該免責事項の承諾に関する情報を記録する記録手段とを備えるようにしたものである。
【００１２】
また、この発明に係る免責画面表示方法は、ネットワークによる通信機能を用いたサービスの利用が要求されたとき、当該要求されたサービスに対する免責事項を画面に表示する工程と、表示された免責事項が承諾されたとき、当該免責事項の承諾に関する情報を記録する工程とを有するようにしたものである。
【発明の効果】
【００１３】
上記した発明によれば、ネットワークによる通信機能を用いたサービスの利用に対する免責事項が承諾されたとき、当該免責事項の承諾に関する情報を記録するようにしたので、ネットワークによる通信機能を利用した各種のサービスに対して、その免責事項の承諾に関する諸情報を画面上に表示することができるようになり、ユーザによる免責事項の承諾に関する事後追跡を可能にして実用に適するものとなる。
【図面の簡単な説明】
【００１４】
【図１】この発明の実施の形態を示すもので、デジタルテレビジョン放送受信装置の概略を説明するために示すブロック構成図。
【図２】同実施の形態におけるデジタルテレビジョン放送受信装置のリモートコントローラの外観を説明するために示す図。
【図３】同実施の形態におけるデジタルテレビジョン放送受信装置で表示されるサービス選択画面の一例を説明するために示す図。
【図４】同実施の形態におけるデジタルテレビジョン放送受信装置で表示される免責画面による言語選択の一例を説明するために示す図。
【図５】同実施の形態におけるデジタルテレビジョン放送受信装置で表示される免責画面による免責事項表示の一例を説明するために示す図。
【図６】同実施の形態におけるデジタルテレビジョン放送受信装置で表示される免責承諾関連情報表示画面の一例を説明するために示す図。
【図７】同実施の形態におけるデジタルテレビジョン放送受信装置が行なう主要な処理動作の一例を説明するために示すフローチャート。
【発明を実施するための形態】
【００１５】
以下、この発明の実施の形態について図面を参照して詳細に説明する。図１は、この実施の形態で説明するデジタルテレビジョン放送受信装置１１の概略を示している。すなわち、アンテナ１２で受信したデジタル放送信号は、入力端子１３を介してデジタルチューナ１４に供給されることにより、所望のチャンネルのデジタル放送信号が選局される。
【００１６】
このデジタルチューナ１４で選局されたデジタル放送信号は、信号処理部１５に供給されて復調されることにより映像信号と音声信号とに分離される。このうち、映像信号は、デコーダ部１６に供給されてデコード処理が施された後、映像処理部１７に供給されて画面サイズ調整等の所定のデジタル信号処理が施される。
【００１７】
そして、映像処理部１７から出力された映像信号は、表示処理部１８に供給されて文字情報やＯＳＤ（on screen display）信号等のグラフィック情報が重畳される。その後、表示処理部１８でグラフィック情報の重畳された映像信号は、映像表示部１９に供給されて映像表示に供される。
【００１８】
また、上記信号処理部１５で分離された音声信号は、音声処理部２０に供給されることにより所定の音声信号処理が施された後、増幅される。そして、音声処理部２０から出力された音声信号は、スピーカ２１に供給され音声再生に供される。
【００１９】
ここで、このデジタルテレビジョン放送受信装置１１は、上記した受信動作を含むその全ての動作を制御部２２によって統括的に制御されている。この制御部２２は、ＣＰＵ（central processing unit）２２ａを内蔵しており、デジタルテレビジョン放送受信装置１１の本体に設置された操作部２３から得られる操作情報、または、リモートコントローラ２４から送出され受光部２５で受信した操作情報を受けて、その操作内容が反映されるように各部をそれぞれ制御している。
【００２０】
この場合、制御部２２は、主として、メモリ部２２ｂを利用している。そのメモリ部２２ｂは、ＣＰＵ２２ａが実行する制御プログラムを格納したＲＯＭ（read only memory）と、該ＣＰＵ２２ａに作業エリアを提供するＲＡＭ（random access memory）と、各種の設定情報及び制御情報等が格納される不揮発性メモリとを有している。
【００２１】
また、上記制御部２２には、ＨＤＤ２６が接続されている。この制御部２２は、ユーザによる操作部２３またはリモートコントローラ２４の操作に基づいて、上記デコーダ部１６から得られる映像信号と上記音声処理部２０から得られる音声信号とを、ＨＤＤ２６に供給してハードディスク２６ａに記録させるように制御することができる。
【００２２】
さらに、この制御部２２は、ユーザによる操作部２３またはリモートコントローラ２４の操作に基づいて、ＨＤＤ２６によりハードディスク２６ａから映像信号及び音声信号を読み出させ、デコーダ部１６及び音声処理部２０にそれぞれ供給して映像表示及び音声再生に供させるように制御することができる。
【００２３】
また、上記制御部２２には、ネットワークインターフェース２７が接続されている。このネットワークインターフェース２７は、入出力端子２８を介して外部のネットワーク２９に接続されている。そして、このネットワーク２９には、当該ネットワーク２９を介した通信機能を利用して各種のサービスを提供するための複数のサービス供給サイト３０１，……，３０ｎが接続されている。
【００２４】
このため、制御部２２は、ネットワークインターフェース２７、入出力端子２８及びネットワーク２９を介して、いずれかのサービス供給サイト３０１〜３０ｎにアクセスして情報通信を行なうことができる。すなわち、詳細は後述するが、制御部２２は、ユーザによるリモートコントローラ２４の操作により、ネットワーク２９による通信機能を利用した所望のサービスが要求されると、そのサービスを提供するサービス供給サイト（例えば３０１）にアクセスする。
【００２５】
すると、アクセスされたサービス供給サイト３０１では、まだ要求されたサービスを利用するための免責事項の承諾がなされていない場合、そのサービスに対する免責事項を映像表示部１９に表示させるための情報を制御部２２に送信する。これにより、制御部２２では、サービス供給サイト３０１から受信した情報に基づいて免責事項を映像表示部１９に表示する。
【００２６】
そして、ユーザがリモートコントローラ２４を用いて免責事項を承諾する旨の操作を行なうと、その承諾情報がサービス供給サイト３０１に供給される。すると、サービス供給サイト３０１では、制御部２２に対して要求されたサービスを実行することを許可し、ここに、デジタルテレビジョン放送受信装置１１がネットワーク２９による通信機能を利用した各種のサービスを利用することができるようになる。
【００２７】
また、上記制御部２２は、タイマ２２ｃを備えている。このタイマ２２ｃは、ユーザがリモートコントローラ２４を操作することにより時刻を設定することができる。
【００２８】
図２は、上記リモートコントローラ２４の外観を示している。このリモートコントローラ２４には、主として、電源キー２４ａ、サービス選択キー２４ｂ、数字キー２４ｃ、チャンネルアップダウンキー２４ｄ、音量調整キー２４ｅ、カーソル上キー２４ｆ、カーソル下キー２４ｇ、カーソル左キー２４ｈ、カーソル右キー２４ｉ、決定キー２４ｊ、メニューキー２４ｋ、戻るキー２４ｌ、終了キー２４ｍ、４色（青，赤，緑，黄）のカラーキー２４ｎ等が設けられている。
【００２９】
また、このリモートコントローラ２４には、再生停止キー２４ｏ、再生／一時停止キー２４ｐ、逆方向スキップキー２４ｑ、順方向スキップキー２４ｒ、早戻しキー２４ｓ、早送りキー２４ｔ等が設けられている。
【００３０】
すなわち、上記ＨＤＤ２６から取得した映像や音声等の情報に対しては、リモートコントローラ２４の再生停止キー２４ｏや再生／一時停止キー２４ｐを操作することにより、再生、停止、一時停止を行なうことが可能となる。
【００３１】
また、リモートコントローラ２４の逆方向スキップキー２４ｑや順方向スキップキー２４ｒを操作することにより、ＨＤＤ２６で再生している映像や音声等の情報を、その再生方向に対して逆方向や順方向に一定量ずつスキップさせる、いわゆる、逆方向スキップや順方向スキップを行なうことができる。
【００３２】
さらに、リモートコントローラ２４の早戻しキー２４ｓや早送りキー２４ｔ等を操作することにより、ＨＤＤ２６で再生している映像や音声等の情報を、その再生方向に対して逆方向や順方向に連続的に高速で再生させる、いわゆる、早戻し再生や早送り再生を行なうことができる。
【００３３】
上記したデジタルテレビジョン放送受信装置１１において、以下、複数のサービス供給サイト３０１〜３０ｎで提供している各種のサービスの中から、ユーザが所望のサービスを要求した場合の動作について詳細に説明する。すなわち、ユーザは、所望のサービスを要求する場合、リモートコントローラ２４のサービス選択キー２４ｂを操作する。
【００３４】
すると、制御部２２は、図３に一例を示すようなサービス選択画面３１を映像表示部１９に表示する。このサービス選択画面３１には、制御部２２がアクセス可能な複数のサービス供給サイト３０１〜３０ｎで提供する各種（図示の場合は４つ）のサービス１，２，３，４が一覧表示される。なお、このサービス選択画面３１においては、リモートコントローラ２４のカーソル上または下キー２４ｆ，２４ｇを操作することにより、他のサービス５，６，……もスクロールして表示することができる。
【００３５】
そして、このサービス選択画面３１において、ユーザが、リモートコントローラ２４のカーソル上または下キー２４ｆ，２４ｇを操作して所望のサービス１（例えばウィジェット等）を選択し、決定キー２４ｊを操作すると、制御部２２は、そのサービスを提供するサービス供給サイト（例えば３０１）にアクセスし、そこで提供しているサービスを要求する。
【００３６】
このとき、アクセスされたサービス供給サイト３０１は、要求されたサービスを利用するための免責事項についての承諾が既になされている場合には、そのサービスをユーザが利用可能となるように提供する。
【００３７】
また、アクセスされたサービス供給サイト３０１は、要求されたサービスを利用するための免責事項についての承諾がまだなされていない場合には、そのサービスに対する免責事項を映像表示部１９に表示させるための情報を制御部２２に送信する。
【００３８】
このとき、制御部２２では、上記アンテナ１２で受信したデジタル放送信号、または、サービスを要求したサービス供給サイト３０１から、現在時刻を示す情報が取得されている場合に限り、サービス供給サイト３０１から受信した情報に基づいて、図４（ａ）に一例を示すような免責画面３２を映像表示部１９に表示する。
【００３９】
この図４（ａ）に示す免責画面３２には、その画面の上端部に国名（この場合、アメリカ）を表示する国名表示部３２ａが設けられるとともに、その画面の中央部に国名表示部３２ａに表示された国の言語（この場合、英語）でその国に対応した免責事項を表示する免責事項表示部３２ｂが設けられている。
【００４０】
そして、図４（ａ）に示す免責画面３２が表示された状態で、ユーザがリモートコントローラ２４のカーソル右キー２４ｉを操作することにより、図４（ｂ）に示すようなカナダ仕様、つまり、国名表示部３２ａに国名としてカナダが表示され、免責事項表示部３２ｂにカナダの言語でカナダに対応した免責事項が表示された免責画面３２が表示される。
【００４１】
また、図４（ｂ）に示す免責画面３２が表示された状態で、さらにユーザがリモートコントローラ２４のカーソル右キー２４ｉを操作すると、図４（ｃ）に示すようなメキシコ仕様、つまり、国名表示部３２ａに国名としてメキシコが表示され、免責事項表示部３２ｂにメキシコの言語でメキシコに対応した免責事項が表示された免責画面３２が表示される。
【００４２】
逆に、図４（ｃ）に示すメキシコ仕様の免責画面３２が表示されている状態で、ユーザがリモートコントローラ２４のカーソル左キー２４ｈを操作すると、図４（ｂ）に示すカナダ仕様の免責画面３２が表示され、さらに、ユーザがリモートコントローラ２４のカーソル左キー２４ｈを操作すると、図４（ａ）に示すアメリカ仕様の免責画面３２が表示される。
【００４３】
このように、免責画面３２が映像表示部１９に表示された状態では、ユーザは、リモートコントローラ２４のカーソル左または右キー２４ｈ，２４ｉを操作することにより、デジタルテレビジョン放送受信装置１１の設置されている国に対応する仕様の免責画面３２を選択して表示させることができる。
【００４４】
今、例えば、図５（ａ）に示すように、アメリカ仕様の免責画面３２が選択され、免責事項表示部３２ｂに免責事項の文頭部分が表示されている状態で、ユーザがリモートコントローラ２４のカーソル下キー２４ｇを操作すると、免責事項表示部３２ｂに表示されている免責事項が、その文末に向かう方向にスクロールされる。
【００４５】
なお、図５（ｂ）に示すように、免責事項表示部３２ｂに免責事項の途中が表示されている状態では、ユーザがリモートコントローラ２４のカーソル上または下キー２４ｆ，２４ｇを操作することにより、免責事項表示部３２ｂに表示されている免責事項を、その文頭または文末に向かう方向にスクロールすることができる。
【００４６】
そして、ユーザがリモートコントローラ２４のカーソル下キー２４ｇを操作し、免責事項がその文末に向かう方向にスクロールされて、図５（ｃ）に示すように、免責事項表示部３２ｂに免責事項の文末部分が表示されると、免責画面３２には、免責事項について「承諾する」なる項目３２ｃと「承諾しない」なる項目３２ｄとが表示される。
【００４７】
その後、免責事項表示部３２ｂに免責事項の文末部分が表示され、それ以上の文末方向へのスクロールが停止された状態で、さらに、ユーザがリモートコントローラ２４のカーソル下キー２４ｇを操作すると、「承諾しない」なる項目３２ｄが自動的に選択された状態となる。この状態になると、以後、ユーザがリモートコントローラ２４のカーソル左または右キー２４ｈ，２４ｉを操作することにより、「承諾する」なる項目３２ｃと「承諾しない」なる項目３２ｄとを交互に選択することができる。
【００４８】
そして、ユーザがリモートコントローラ２４のカーソル左または右キー２４ｈ，２４ｉを操作して「承諾する」なる項目３２ｃを選択し、決定キー２４ｊを操作することにより免責事項が承諾され、その承諾情報がサービス供給サイト３０１に供給される。これにより、サービス供給サイト３０１は、制御部２２に対して要求されたサービスを実行することを許可し、ここに、デジタルテレビジョン放送受信装置１１がネットワーク機能を用いた各種のサービスを利用することができるようになる。
【００４９】
ここで、ユーザによって免責事項が承諾されたとき、つまり、「承諾する」なる項目３２ｃが選択され決定キー２４ｊが操作されたとき、制御部２２は、免責事項が承諾されたこと、その承諾された時刻、承諾後の経過時間、承諾後のサービス利用回数、現在時刻、自機器、つまり、デジタルテレビジョン放送受信装置１１の機種名、利用するサービス、つまり、免責事項を承諾したサービスのソフトウエアバージョン等を含む、免責事項の承諾に関する諸情報を取得し、例えばメモリ部２２ｂの不揮発性メモリ等に記録する。
【００５０】
この記録された免責事項の承諾に関する諸情報は、ユーザの要求により映像表示部１９に表示させることができる。具体的には、ユーザがリモートコントローラ２４のメニューキー２４ｋを操作して、階層構造となされた複数のメニュー画面に分け入ることにより、図６に一例を示すような免責承諾関連情報表示画面３３を映像表示部１９に表示させることで実現される。
【００５１】
この免責承諾関連情報表示画面３３には、自機器、つまり、デジタルテレビジョン放送受信装置１１の機種名を示す情報「４０ＵＸ６００Ｕ」や、利用するサービス、つまり免責事項を承諾したサービスのソフトウエアバージョンを示す情報「９．１．７．０」が表示されている。
【００５２】
また、この免責承諾関連情報表示画面３３には、受信したデジタル放送信号から取得した現在時刻である放送取得時刻を示す情報「２００９年１１月２０日午前１１時３２分」と、サービス供給サイト３０１から取得した現在時刻であるネットワーク取得時刻を示す情報「２００９年１１月２０日午前１１時３２分」と、前記タイマ２２ｃから取得した現在時刻であるタイマ取得時刻を示す情報「２００９年１月１日午前０時００分」とが表示されている。
【００５３】
さらに、この免責承諾関連情報表示画面３３には、免責事項が承諾されているという承諾の事実を示す情報「有」と、免責事項を承諾した時刻である承諾時刻を示す情報「２００９年１１月１９日午前２時１５分」と、免責事項を承諾した後の経過時間である承諾後経過時間を示す情報「３３時間」、免責事項を承諾してから現在までにおけるそのサービスを利用した回数である承諾後サービス利用回数を示す情報「２５回」とが表示されている。
【００５４】
この場合、承諾時刻は、ネットワーク取得時刻を最優先として設定され、ネットワーク取得時刻が得られない場合に放送取得時刻に基づいて設定されるというように優先順位が定められている。なお、ネットワーク取得時刻と放送取得時刻とが共に得られている状態では、ネットワーク取得時刻に基づいた承諾時刻と放送取得時刻に基づいた承諾時刻との両方を記録し、両方の承諾時刻を免責承諾関連情報表示画面３３に表示させるようにすることも可能である。
【００５５】
また、ネットワーク取得時刻に基づいた承諾時刻と、放送取得時刻に基づいた承諾時刻と、タイマ２２ｃ取得時刻に基づいた承諾時刻とを全て記録し、これら３つの承諾時刻を免責承諾関連情報表示画面３３に表示させるようにすることも可能である。
【００５６】
さらに、前述したように、ネットワーク取得時刻と放送取得時刻とが共に得られない状態では、制御部２２は、サービス供給サイト３０１から受信した情報に基づいて免責画面３２を映像表示部１９に表示することを停止するように動作する。つまり、ネットワーク取得時刻と放送取得時刻とが共に得られない状態では、免責画面３２が表示されないため、そのサービスを利用することができないようになっている。
【００５７】
図７は、上記したように、免責事項が承諾されたときにその免責事項の承諾に関する諸情報を記録して表示する一連の処理動作をまとめたフローチャートを示している。すなわち、処理が開始（ステップＳ１）されると、制御部２２は、ステップＳ２で、複数のサービス供給サイト３０１〜３０ｎが提供するサービスのうち、いずれかのサービスが選択されたか否かを判別する。
【００５８】
そして、サービスが選択されたと判断された場合（ＹＥＳ）、制御部２２は、ステップＳ３で、たとえば既に記録されている免責事項の承諾に関する諸情報を参照して、選択されたサービスに対する免責事項が既に承諾されているか否かを判別する。ここで、承諾されていないと判断された場合（ＮＯ）、制御部２２は、ステップＳ４で、ネットワーク取得時刻と放送取得時刻との少なくともいずれかが得られているか否かを判別する。
【００５９】
その結果、ネットワーク取得時刻及び放送取得時刻の少なくとも一方が得られていると判断された場合（ＹＥＳ）、制御部２２は、ステップＳ５で、選択されたサービスを提供するサービス供給サイト（例えば３０１）にアクセスし、免責事項を表示するための情報を取得し、免責事項を映像表示部１９に表示させる。
【００６０】
その後、制御部２２は、ステップＳ６で、ユーザによって免責事項が承諾されたか否かを判別し、承諾されたと判断された場合（ＹＥＳ）、承諾された旨を示す情報をサービス供給サイト（例えば３０１）に送信するとともに、ステップＳ７で、免責事項の承諾に関する諸情報をメモリ部２２ｂの不揮発性メモリに記録する。
【００６１】
このステップＳ７の後、または、上記ステップＳ３で選択されたサービスに対する免責事項が既に承諾されていると判断された場合（ＹＥＳ）、制御部２２は、ステップＳ８で、サービス供給サイト（例えば３０１）にアクセスしそこで提供しているサービスを実行して、処理を終了（ステップＳ９）する。
【００６２】
また、上記ステップＳ４でネットワーク取得時刻と放送取得時刻とが共に得られていないと判断された場合（ＮＯ）、または、上記ステップＳ６でユーザによって免責事項が承諾されなかったと判断された場合（ＮＯ）にも、制御部２２は、処理を終了（ステップＳ９）する。
【００６３】
上記した実施の形態によれば、ユーザが利用するサービスに対する免責事項を承諾したとき、承諾した時刻等を含む、その免責事項の承諾に関する諸情報を記録して表示することができるようにしたので、ユーザによる免責事項の承諾に関する事後追跡が容易に可能になり実用に好適するものとなる。
【００６４】
また、上記した実施の形態では、ユーザがリモートコントローラ２４を操作して免責承諾関連情報表示画面３３を表示させるようにしたが、これに限らず、例えばユーザが免責事項を承諾した時点で免責承諾関連情報表示画面３３を強制的に表示させることも可能である。この場合、免責承諾関連情報表示画面３３は、予め設定された時間だけ表示されるようにしたり、リモートコントローラ２４の戻るキー２４ｌが操作されるまで表示されるようにしたりすることができる。
【００６５】
さらに、上記した実施の形態では、ユーザがサービスを選択したとき、制御部２２が、そのサービスを提供するサービス供給サイト（例えば３０１）にアクセスし、そのサイトから免責事項を表示するための情報を取得して映像表示部１９に免責事項を表示させるようにしている。
【００６６】
これに対し、例えば、制御部２２がアクセス可能な複数のサービス供給サイト３０１〜３０ｎについて、それらが提供するサービスに対する免責事項を表示するための情報を、予め各国別にメモリ部２２ｂに格納しておくことも考えられる。このようにすれば、ユーザが所望のサービスを選択した場合、そのサービスに対応した免責事項を表示するための情報を、メモリ部２２ｂから読み出して映像表示部１９に表示させることができる。
【００６７】
そして、免責事項が承諾されたことを制御部２２が判断したときに、制御部２２が始めてサービス供給サイト（例えば３０１）にアクセスしてそのサービスを利用することができるようになるため、サービス供給サイト（例えば３０１）へのアクセス回数が削減され、効率的な情報伝送を行なうことが可能となる。
【００６８】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００６９】
１１…デジタルテレビジョン放送受信装置、１２…アンテナ、１３…入力端子、１４…デジタルチューナ、１５…信号処理部、１６…デコーダ部、１７…映像処理部、１８…表示処理部、１９…映像表示部、２０…音声処理部、２１…スピーカ、２２…制御部、２２ａ…ＣＰＵ、２２ｂ…メモリ部、２２ｃ…タイマ、２３…操作部、２４…リモートコントローラ、２５…受光部、２６…ＨＤＤ、２６ａ…ハードディスク、２７…ネットワークインターフェース、２８…入出力端子、２９…ネットワーク、３０１〜３０ｎ…サービス供給サイト、３１…サービス選択画面、３２…免責画面、３２ａ…国名表示部、３２ｂ…免責事項表示部、３２ｃ，３２ｄ…項目、３３…免責承諾関連情報表示画面。
【図１】
2011172005.tif 000003
【図２】
2011172005.tif 000004
【図３】
2011172005.tif 000005
【図４】
2011172005.tif 000006
【図５】
2011172005.tif 000007
【図６】
2011172005.tif 000008
【図７】
2011172005.tif 000009
【手続補正書】
【提出日】平成22年12月3日(2010.12.3)
【手続補正１】
【補正対象書類名】特許請求の範囲
【補正対象項目名】全文
【補正方法】変更
【補正の内容】
【特許請求の範囲】
【請求項１】
ネットワークによる通信機能を用いたサービスの利用要求に応じて、当該要求されたサービスに対する免責事項を画面に表示する表示手段と、
前記表示手段で表示された免責事項に対する承諾の登録に応じて、当該免責事項の承諾に関する情報を記録する記録手段とを具備する免責画面表示装置。
【請求項２】
前記記録手段は、前記免責事項の承諾に関する情報として、前記免責事項に対する承諾の登録された時刻を記録する請求項１記載の免責画面表示装置。
【請求項３】
前記記録手段は、前記免責事項の承諾に関する情報として、前記免責事項に対する承諾の登録された時刻を、前記ネットワークを介して取得した時刻情報を用いて記録する請求項１記載の免責画面表示装置。
【請求項４】
前記記録手段は、前記免責事項の承諾に関する情報として、前記免責事項に対する承諾の登録された時刻を、受信した放送信号から取得した時刻情報に優先させて、前記ネットワークを介して取得した時刻情報を用いて記録する請求項１記載の免責画面表示装置。
【請求項５】
前記記録手段は、前記免責事項の承諾に関する情報として、前記免責事項に対する承諾の登録された時刻を、前記ネットワークを介して取得した時刻情報と、受信した放送信号から取得した時刻情報と、自機器に内蔵されたタイマから取得した時刻情報とを用いてそれぞれ記録する請求項１記載の免責画面表示装置。
【請求項６】
前記記録手段は、前記免責事項の承諾に関する情報として、前記免責事項に対する承諾の登録された時点から現在までの経過時間と、前記免責事項に対する承諾の登録された時点から現在までにおける前記サービスの利用回数との少なくとも一方を記録する請求項１記載の免責画面表示装置。
【請求項７】
前記表示手段は、前記ネットワークからの時刻情報と受信した放送信号からの時刻情報とが取得されなければ、前記免責事項を画面に表示しない請求項１記載の免責画面表示装置。
【請求項８】
前記記録手段に前記免責事項の承諾に関する情報が記録されたとき、当該記録情報を画面に表示する制御手段を備える請求項１記載の免責画面表示装置。
【請求項９】
ネットワークによる通信機能を用いたサービスの利用要求に応じて、当該要求されたサービスに対する免責事項を画面に表示し、
表示された免責事項に対する承諾の登録に応じて、当該免責事項の承諾に関する情報を記録する免責画面表示方法。
【手続補正２】
【補正対象書類名】明細書
【補正対象項目名】００１１
【補正方法】変更
【補正の内容】
【００１１】
この発明に係る免責画面表示装置は、ネットワークによる通信機能を用いたサービスの利用要求に応じて、当該要求されたサービスに対する免責事項を画面に表示する表示手段と、表示手段で表示された免責事項に対する承諾の登録に応じて、当該免責事項の承諾に関する情報を記録する記録手段とを備えるようにしたものである。
【手続補正３】
【補正対象書類名】明細書
【補正対象項目名】００１２
【補正方法】変更
【補正の内容】
【００１２】
また、この発明に係る免責画面表示方法は、ネットワークによる通信機能を用いたサービスの利用要求に応じて、当該要求されたサービスに対する免責事項を画面に表示し、表示された免責事項に対する承諾の登録に応じて、当該免責事項の承諾に関する情報を記録するようにしたものである。
【手続補正４】
【補正対象書類名】明細書
【補正対象項目名】００１３
【補正方法】変更
【補正の内容】
【００１３】
上記した発明によれば、ネットワークによる通信機能を用いたサービスを利用するための免責事項に対する承諾の登録に応じて、当該免責事項の承諾に関する情報を記録するようにしたので、ネットワークによる通信機能を利用した各種のサービスに対して、その免責事項の承諾に関する諸情報を画面上に表示することができるようになり、ユーザによる免責事項の承諾に関する事後追跡を可能にして実用に適するものとなる。
【手続補正書】
【提出日】平成23年3月14日(2011.3.14)
【手続補正１】
【補正対象書類名】特許請求の範囲
【補正対象項目名】全文
【補正方法】変更
【補正の内容】
【特許請求の範囲】
【請求項１】
ネットワークによる通信機能を用いたサービスの利用要求に応じて、当該要求されたサービスに対する免責事項を画面に表示する表示手段と、
前記表示手段で表示された免責事項に対する承諾の登録に応じて、当該免責事項に対する承諾の登録された日時を示す情報を記録する記録手段と、
前記記録手段で記録された日時を示す情報を出力する出力手段とを具備する免責画面表示装置。
【請求項２】
前記記録手段は、前記免責事項に対する承諾の登録された時刻を、前記ネットワークを介して取得した時刻情報を用いて記録する請求項１記載の免責画面表示装置。
【請求項３】
前記記録手段は、前記免責事項に対する承諾の登録された時刻を、受信した放送信号から取得した時刻情報に優先させて、前記ネットワークを介して取得した時刻情報を用いて記録する請求項１記載の免責画面表示装置。
【請求項４】
前記記録手段は、前記免責事項に対する承諾の登録された時刻を、前記ネットワークを介して取得した時刻情報と、受信した放送信号から取得した時刻情報と、自機器に内蔵されたタイマから取得した時刻情報とを用いてそれぞれ記録する請求項１記載の免責画面表示装置。
【請求項５】
前記記録手段は、前記免責事項に対する承諾の登録された時点から現在までの経過時間と、前記免責事項に対する承諾の登録された時点から現在までにおける前記サービスの利用回数との少なくとも一方を記録する請求項１記載の免責画面表示装置。
【請求項６】
前記表示手段は、前記ネットワークからの時刻情報と受信した放送信号からの時刻情報とが取得されなければ、前記免責事項を画面に表示しない請求項１記載の免責画面表示装置。
【請求項７】
ネットワークによる通信機能を用いたサービスの利用要求に応じて、当該要求されたサービスに対する免責事項を画面に表示し、
表示された免責事項に対する承諾の登録に応じて、当該免責事項に対する承諾の登録された日時を示す情報を記録し、
記録された日時を示す情報を出力する免責画面表示方法。
【手続補正２】
【補正対象書類名】明細書
【補正対象項目名】００１１
【補正方法】変更
【補正の内容】
【００１１】
この発明に係る免責画面表示装置は、ネットワークによる通信機能を用いたサービスの利用要求に応じて、当該要求されたサービスに対する免責事項を画面に表示する表示手段と、表示手段で表示された免責事項に対する承諾の登録に応じて、当該免責事項に対する承諾の登録された日時を示す情報を記録する記録手段と、記録手段で記録された日時を示す情報を出力する出力手段とを備えるようにしたものである。
【手続補正３】
【補正対象書類名】明細書
【補正対象項目名】００１２
【補正方法】変更
【補正の内容】
【００１２】
また、この発明に係る免責画面表示方法は、ネットワークによる通信機能を用いたサービスの利用要求に応じて、当該要求されたサービスに対する免責事項を画面に表示し、表示された免責事項に対する承諾の登録に応じて、当該免責事項に対する承諾の登録された日時を示す情報を記録し、記録された日時を示す情報を出力するようにしたものである。
【手続補正４】
【補正対象書類名】明細書
【補正対象項目名】００１３
【補正方法】変更
【補正の内容】
【００１３】
上記した発明によれば、ネットワークによる通信機能を用いたサービスを利用するための免責事項に対する承諾の登録に応じて、当該免責事項に対する承諾の登録された日時を示す情報を記録し、記録された日時を示す情報を出力するようにしたので、ネットワークによる通信機能を利用した各種のサービスに対して、その免責事項の承諾に関する諸情報を画面上に表示することができるようになり、ユーザによる免責事項の承諾に関する事後追跡を可能にして実用に適するものとなる。
【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
ネットワークによる通信機能を用いたサービスの利用要求に応じて、当該要求されたサービスに対する免責事項を画面に表示する表示手段と、
前記表示手段で表示された免責事項に対する承諾の登録に応じて、当該免責事項に対する承諾の登録された日時を示す情報を記録するもので、前記免責事項に対する承諾の登録された時刻を、受信した放送信号から取得した時刻情報に優先させて、前記ネットワークを介して取得した時刻情報を用いて記録する記録手段と、
前記記録手段で記録された日時を示す情報を出力する出力手段とを具備する免責画面表示装置。
【請求項２】
前記記録手段は、前記免責事項に対する承諾の登録された時点から現在までの経過時間と、前記免責事項に対する承諾の登録された時点から現在までにおける前記サービスの利用回数との少なくとも一方を記録する請求項１記載の免責画面表示装置。
【請求項３】
前記表示手段は、前記ネットワークからの時刻情報と受信した放送信号からの時刻情報とが取得されなければ、前記免責事項を画面に表示しない請求項１記載の免責画面表示装置。
【請求項４】
ネットワークによる通信機能を用いたサービスの利用要求に応じて、当該要求されたサービスに対する免責事項を画面に表示し、
表示された免責事項に対する承諾の登録に応じて、当該免責事項に対する承諾の登録された日時を示す情報を記録する際、前記免責事項に対する承諾の登録された時刻を、受信した放送信号から取得した時刻情報に優先させて、前記ネットワークを介して取得した時刻情報を用いて記録し、
記録された日時を示す情報を出力する免責画面表示方法。
【手続補正２】
【補正対象書類名】明細書
【補正対象項目名】００１１
【補正方法】変更
【補正の内容】
【００１１】
この発明に係る免責画面表示装置は、ネットワークによる通信機能を用いたサービスの利用要求に応じて、当該要求されたサービスに対する免責事項を画面に表示する表示手段と、表示手段で表示された免責事項に対する承諾の登録に応じて、当該免責事項に対する承諾の登録された日時を示す情報を記録するもので、免責事項に対する承諾の登録された時刻を、受信した放送信号から取得した時刻情報に優先させて、ネットワークを介して取得した時刻情報を用いて記録する記録手段と、記録手段で記録された日時を示す情報を出力する出力手段とを備えるようにしたものである。
【手続補正３】
【補正対象書類名】明細書
【補正対象項目名】００１２
【補正方法】変更
【補正の内容】
【００１２】
また、この発明に係る免責画面表示方法は、ネットワークによる通信機能を用いたサービスの利用要求に応じて、当該要求されたサービスに対する免責事項を画面に表示し、表示された免責事項に対する承諾の登録に応じて、当該免責事項に対する承諾の登録された日時を示す情報を記録する際、免責事項に対する承諾の登録された時刻を、受信した放送信号から取得した時刻情報に優先させて、ネットワークを介して取得した時刻情報を用いて記録し、記録された日時を示す情報を出力するようにしたものである。
【手続補正４】
【補正対象書類名】明細書
【補正対象項目名】００１３
【補正方法】変更
【補正の内容】
【００１３】
上記した発明によれば、ネットワークによる通信機能を用いたサービスを利用するための免責事項に対する承諾の登録に応じて、当該免責事項に対する承諾の登録された日時を示す情報を記録する際、免責事項に対する承諾の登録された時刻を、受信した放送信号から取得した時刻情報に優先させて、ネットワークを介して取得した時刻情報を用いて記録し、記録された日時を示す情報を出力するようにしたので、ネットワークによる通信機能を利用した各種のサービスに対して、その免責事項の承諾に関する諸情報を画面上に表示することができるようになり、ユーザによる免責事項の承諾に関する事後追跡を可能にして実用に適するものとなる。